(57)【要約】      （修正有）【課題】有機発光素子、及びそれを含む装置を提供する。【解決手段】第１電極１１０と、第２電極１９０と、第１電極と第２電極との間に介在された有機層１５０とを含み、有機層は、発光層を含み、発光層は、互いに異なる特定の第１化合物、第２化合物及び第３化合物を含む有機発光素子。【選択図】図１
2020191443.tif 000002
【特許請求の範囲】
【請求項１】
第１電極と、
第２電極と、
前記第１電極と前記第２電極との間に介在された有機層とを含み、
前記有機層は、発光層を含み、
前記発光層は、第１化合物、第２化合物及び第３化合物を含み、
前記第１化合物は、下記化学式１で表され、
前記第２化合物は、下記化学式２で表され、
前記第３化合物は、下記化学式３で表され、
前記第１化合物、前記第２化合物及び前記第３化合物は、互いに異なる有機発光素子：
【化１】
2020191443.tif 000078
（化学式１）
【化２】
2020191443.tif 000079
（化学式２）
【化３】
2020191443.tif 000080
（化学式３）
前記化学式１〜３で、
Ａ１１は、下記化学式１０で表される基であり、
【化４】
2020191443.tif 000081
（化学式１０）
前記化学式１０で、
Ｒ１０１〜Ｒ１０８は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択され、
ｋ１１及びｋ１２は、互いに独立して、１、２、３及び４のうちから選択され、
Ｒ１１は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択され、
Ｌ２１〜Ｌ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、二価のＣ５−Ｃ１５炭素環基、及び二価の環形成原子数１−１５のヘテロ環基のうちから選択され、
ａ２１〜ａ２３は、互いに独立して、０、１及び２のうちから選択され、
Ｒ２１〜Ｒ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、及び環形成原子数１−１５の一価非芳香族ヘテロ縮合多環基；並びに
−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）及び−Ｐ（＝Ｓ）（Ｑ１）（Ｑ２）のうちから選択され、
Ｘ３１は、Ｎ（Ｒ３９）及びＣ（Ｒ３９）（Ｒ４０）のうちから選択され、
Ｒ３１〜Ｒ４０は、互いに独立して、＊−（Ｌ３１）ａ３１−Ａ３１で表される基、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択されるが、Ｒ３１〜Ｒ３９で、少なくとも一つは、＊−（Ｌ３１）ａ３１−Ａ３１で表される基であり、
Ｌ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されないフェニレン基であり、
ａ３１は、１、２及び３のうちから選択され、
Ａ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、カルバゾリル基及びフルオレニル基のうちから選択され、
Ｑ１〜Ｑ３、及びＱ３１〜Ｑ３３は、互いに独立して、水素、重水素、−Ｆ、−Ｃｌ、−Ｂｒ、−Ｉ、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、Ｃ１−Ｃ１０ヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、ビフェニリル基、及びビフェニリル基のうちから選択され、
＊は、隣接原子との結合サイトである。
【請求項２】
ｋ１１及びｋ１２は、互いに独立して、１及び２のうちから選択されることを特徴とする請求項１に記載の有機発光素子。
【請求項３】
前記第１化合物は、下記化学式１−１〜１−５８のうちいずれか一つで表されることを特徴とする請求項１に記載の有機発光素子：
【化５】
2020191443.tif 000082
2020191443.tif 000083
2020191443.tif 000084
2020191443.tif 000085
2020191443.tif 000086
前記化学式１−１〜１−５８で、
Ａ１１ａ及びＡ１１ｂは、それぞれ前記化学式１のＡ１１の定義を参照し、
Ｒ１１ａ、Ｒ１１ｂ及びＲ１１ｃは、それぞれ前記化学式１のＲ１１の定義を参照する。
【請求項４】
Ａ１１は、下記化学式１０−１及び１０−２のうちいずれか一つで表されることを特徴とする請求項１に記載の有機発光素子：
【化６】
2020191443.tif 000087
前記化学式１０−１及び１０−２で、
Ｒ１０３及びＲ１０６は、互いに独立して、−Ｆ、シアノ基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択され、
＊は、隣接原子との結合サイトである。
【請求項５】
Ｒ１１は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ３−Ｃ１５シクロアルケニル基、環形成原子数１−１５のヘテロシクロアルケニル基、Ｃ６−Ｃ１５アリール基、環形成原子数１−１５のヘテロアリール基、環形成原子数１−１５の一価非芳香族縮合多環基、及び環形成原子数１−１５の一価非芳香族ヘテロ縮合多環基のうちから選択されることを特徴とする請求項１に記載の有機発光素子。
【請求項６】
Ｒ１１は、水素であることを特徴とする請求項１に記載の有機発光素子。
【請求項７】
Ｌ２１〜Ｌ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択された少なくとも１つの置換基で置換されたもしくは置換されない、フェニレン基、ナフチレン基、フェナレニレン基、アントラセニレン基、フェナントレニレン基、ピリジニレン基、ピリミジニレン基、ピラジニレン基、ピリダジニレン基、トリアジニレン基、キノリニレン基、イソキノリニレン基、ベンゾキノリニレン基、ベンゾイソキノリニレン基、フタラジニレン基、ナフチリジニレン基、キノキサリニレン基、キナゾリニレン基、ベンゾキノキサリニレン基、ベンゾキナゾリニレン基、フルオレニレン基、カルバゾリレニレン基、ジベンゾフラニレン基、ジベンゾチオフェニレン基、アザフルオレニレン基、アザカルバゾリレニレン基、アザジベンゾフラニレン基、アザジベンゾチオフェニレン基、ジアザフルオレニレン基、ジアザカルバゾリレニレン基、ジアザジベンゾフラニレン基及びジアザジベンゾチオフェニレン基のうちから選択され、
ａ２１〜ａ２３は、互いに独立して、０及び１のうちから選択されることを特徴とする請求項１に記載の有機発光素子。
【請求項８】
Ｒ２１〜Ｒ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基、ジアザジベンゾチオフェニル基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）及び−Ｐ（＝Ｓ）（Ｑ３１）（Ｑ３２）のうちから選択された少なくとも１つの置換基で置換されたもしくは置換されない、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基；並びに
−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）及び−Ｐ（＝Ｓ）（Ｑ１）（Ｑ２）のうちから選択され、
Ｑ１〜Ｑ３、及びＱ３１〜Ｑ３３は、互いに独立して、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択されることを特徴とする請求項１に記載の有機発光素子。
【請求項９】
Ｒ２１〜Ｒ２３のうち少なくとも一つは、下記化学式７−１で表される基、下記化学式７−２で表される基、−Ｃ（Ｑ１）（Ｑ２）（Ｑ３）、及び−Ｓｉ（Ｑ１）（Ｑ２）（Ｑ３）のうちから選択されることを特徴とする請求項１に記載の有機発光素子：
【化７】
2020191443.tif 000088
（化学式７−１）
【化８】
2020191443.tif 000089
（化学式７−２）
前記化学式７−１及び７−２で、
Ｙ７１は、フェニル基、ビフェニリル基、ナフチル基、フェナレニル基、アントラセニル基、フェナントレニル基、フルオレニル基、カルバゾリル基、ジベンゾフラニル基、ジベンゾチオフェニル基、−Ｃ（Ｑ３１）（Ｑ３２）（Ｑ３３）及び−Ｓｉ（Ｑ３１）（Ｑ３２）（Ｑ３３）のうちから選択され、
Ｒ７１〜Ｒ７４は、互いに独立して、水素、重水素、Ｃ１−Ｃ１０アルキル基、フェニル基、ビフェニリル基、ナフチル基、フェナレニル基、アントラセニル基、フェナントレニル基、フルオレニル基、カルバゾリル基、ジベンゾフラニル基、ジベンゾチオフェニル基、−Ｃ（Ｑ３１）（Ｑ３２）（Ｑ３３）及び−Ｓｉ（Ｑ３１）（Ｑ３２）（Ｑ３３）のうちから選択され、
Ｑ１〜Ｑ３、及びＱ３１〜Ｑ３３は、互いに独立して、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択され、
＊は、隣接原子との結合サイトである。
【請求項１０】
Ｘ３１は、Ｎ（Ｒ３９）であることを特徴とする請求項１に記載の有機発光素子。
【請求項１１】
Ｒ３１〜Ｒ４０は、互いに独立して、＊−（Ｌ３１）ａ３１−Ａ３１で表される基、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、フルオレニル基、カルバゾリル基、ジベンゾフラニル基、及びジベンゾチオフェニル基のうちから選択されるが、Ｒ３１〜Ｒ３９で、少なくとも一つは、＊−（Ｌ３１）ａ３１−Ａ３１で表される基であることを特徴とする請求項１に記載の有機発光素子。
【請求項１２】
Ｌ３１は、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択された少なくとも１つの置換基で置換されたもしくは置換されないフェニレン基であり、
ａ３１は、１及び２のうちから選択される、請求項１に記載の有機発光素子。
【請求項１３】
Ａ３１は、下記化学式８−１〜８−５のうちいずれか一つで表されることを特徴とする請求項１に記載の有機発光素子：
【化９】
2020191443.tif 000090
前記化学式８−１〜８−５で、
Ｒ８１〜Ｒ８９は、互いに独立して、水素、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択され、
＊は、隣接原子との結合サイトである。
【請求項１４】
前記第３化合物は、下記化学式３−１〜３−５のうちいずれか一つで表されることを特徴とする請求項１に記載の有機発光素子：
【化１０】
2020191443.tif 000091
前記化学式３−１〜３−５で、
Ｌ３１、ａ３１、Ａ３１、及びＲ３１〜Ｒ３９は、それぞれ前記化学式３における定義を参照する。
【請求項１５】
前記第１化合物は、下記グループＩのうちから選択され、
前記第２化合物は、下記グループＩＩのうちから選択され、
前記第３化合物は、下記グループＩＩＩのうちから選択されることを特徴とする請求項１に記載の有機発光素子：
＜グループＩ＞
【化１１】
2020191443.tif 000092
2020191443.tif 000093
2020191443.tif 000094
2020191443.tif 000095
2020191443.tif 000096
＜グループＩＩ＞
【化１２】
2020191443.tif 000097
2020191443.tif 000098
2020191443.tif 000099
2020191443.tif 000100
2020191443.tif 000101
＜グループＩＩＩ＞
【化１３】
2020191443.tif 000102
2020191443.tif 000103
2020191443.tif 000104
。
【請求項１６】
前記第１化合物は、遅延蛍光エミッタであることを特徴とする請求項１に記載の有機発光素子。
【請求項１７】
前記第１化合物は、４５０ｎｍ以上５５０ｎｍ以下の範囲の最大発光波長を有することを特徴とする請求項１に記載の有機発光素子。
【請求項１８】
前記有機発光素子は、４５０ｎｍ以上５５０ｎｍ以下の範囲の遅延蛍光を放出することを特徴とする請求項１に記載の有機発光素子。
【請求項１９】
前記第１電極がアノードであり、
前記第２電極がカソードであり、
前記有機層は、前記第１電極と前記発光層との間に配置された正孔輸送領域、及び／または前記発光層と前記第２電極との間に配置された電子輸送領域をさらに含み、
前記正孔輸送領域は、正孔注入層、正孔輸送層、発光補助層、電子阻止層、またはその任意の組み合わせを含み、
前記電子輸送領域は、正孔阻止層、電子輸送層、電子注入層、またはその任意の組み合わせを含むことを特徴とする請求項１に記載の有機発光素子。
【請求項２０】
ソース電極、ドレイン電極及び活性層を含む薄膜トランジスタ、及び請求項１乃至１９のうちいずれか１項に記載の有機発光素子を含み、前記有機発光素子の第１電極が、前記薄膜トランジスタのソース電極及びドレイン電極のうち一つと電気的に連結された装置。
【発明の詳細な説明】
【技術分野】
【０００１】
本発明は、有機発光素子、及びそれを含む装置に関する。
【背景技術】
【０００２】
有機発光素子（ｏｒｇａｎｉｃ  ｌｉｇｈｔ  ｅｍｉｔｔｉｎｇ  ｄｅｖｉｃｅ）は、自発光型素子であり、視野角が広く、コントラストにすぐれるだけではなく、応答時間が短く、輝度、駆動電圧及び応答速度の特性にすぐれ、多色化が可能であるという長所を有している。
【０００３】
前記有機発光素子は、基板上部に第１電極が配置されており、前記第１電極上部に、正孔輸送領域（ｈｏｌｅ  ｔｒａｎｓｐｏｒｔ  ｒｅｇｉｏｎ）、発光層、電子輸送領域（ｅｌｅｃｔｒｏｎ  ｔｒａｎｓｐｏｒｔ  ｒｅｇｉｏｎ）及び第２電極が順次に形成されている構造を有することができる。前記第１電極から注入された正孔は、正孔輸送領域を経由して発光層に移動し、第２電極から注入された電子は、電子輸送領域を経由して発光層に移動する。前述の正孔及び電子のようなキャリアは、発光層領域で再結合し、励起子（ｅｘｃｉｔｏｎ）を生成する。該励起子が励起状態から基底状態に変わりながら光が生成される。
【先行技術文献】
【特許文献】
【０００４】
【特許文献１】韓国公開特許第１０−２０１６−００３４５２８号公報
【発明の概要】
【発明が解決しようとする課題】
【０００５】
本発明が解決しようとする課題は、有機発光素子、及びそれを含む装置を提供することである。
【課題を解決するための手段】
【０００６】
本発明の一側面によれば、第１電極と、第２電極と、前記第１電極と前記第２電極との間に介在された有機層とを含み、前記有機層は、発光層を含み、前記発光層は、第１化合物、第２化合物及び第３化合物を含み、前記第１化合物は、下記化学式１で表され、前記第２化合物は、下記化学式２で表され、前記第３化合物は、下記化学式３で表され、前記第１化合物、前記第２化合物及び前記第３化合物は、互いに異なる有機発光素子が提供される：
【化１】
2020191443.tif 000003
（化学式１）
【化２】
2020191443.tif 000004
（化学式２）
【化３】
2020191443.tif 000005
（化学式３）
前記化学式１〜３で、
Ａ１１は、下記化学式１０で表される基であり、
【化４】
2020191443.tif 000006
（化学式１０）
前記化学式１０で、
Ｒ１０１〜Ｒ１０８は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択され、
ｋ１１及びｋ１２は、互いに独立して、１、２、３及び４のうちから選択され、
Ｒ１１は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択され、
Ｌ２１〜Ｌ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、二価のＣ５−Ｃ１５炭素環基及び環形成原子数１−１５の二価のヘテロ環基のうちから選択され、
ａ２１〜ａ２３は、互いに独立して、０、１及び２のうちから選択され、
Ｒ２１〜Ｒ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、及び環形成原子数１−１５の一価非芳香族ヘテロ縮合多環基；並びに
−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）及び−Ｐ（＝Ｓ）（Ｑ１）（Ｑ２）のうちから選択され、
Ｘ３１は、Ｎ（Ｒ３９）及びＣ（Ｒ３９）（Ｒ４０）のうちから選択され、
Ｒ３１〜Ｒ４０は、互いに独立して、＊−（Ｌ３１）ａ３１−Ａ３１で表される基、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択されるが、Ｒ３１〜Ｒ３９で、少なくとも一つは、＊−（Ｌ３１）ａ３１−Ａ３１で表される基であり、
Ｌ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されないフェニレン基であり、
ａ３１は、１、２及び３のうちから選択され、
Ａ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、カルバゾリル基及びフルオレニル基のうちから選択され、
Ｑ１〜Ｑ３、及びＱ３１〜Ｑ３３は、互いに独立して、水素、重水素、−Ｆ、−Ｃｌ、−Ｂｒ、−Ｉ、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、ビフェニリル基、及びビフェニリル基のうちから選択され、
＊は、隣接原子との結合サイトである。
【０００７】
本発明の他の側面によれば、ソース電極、ドレイン電極及び活性層を含む薄膜トランジスタ、及び前述の有機発光素子を含み、前記有機発光素子の第１電極が、前記薄膜トランジスタのソース電極及びドレイン電極のうち一つと電気的に連結された装置が提供される。
【発明の効果】
【０００８】
本発明の有機発光素子は、高効率及び長寿命を有することができる。
【図面の簡単な説明】
【０００９】
【図１】本発明の一実施形態による有機発光素子の構造を概略的に示した図面である。
【図２】本発明の他の実施形態による有機発光素子の構造を概略的に示した図面である。
【図３】本発明のさらに他の実施形態による有機発光素子の構造を概略的に示した図面である。
【図４】本発明のさらに他の実施形態による有機発光素子の構造を概略的に示した図面である。
【図５】実施例１〜５の輝度による効率グラフを示した図面である。
【図６】比較例１〜５の輝度による効率グラフを示した図面である。
【発明を実施するための形態】
【００１０】
本発明は、多様な変換を加えることができ、さまざまな実施形態を有することができるが、特定の実施形態を図面に例示し、詳細な説明によって詳細に説明する。本発明の効果、特徴、及びそれらを達成する方法は、図面と共に詳細に後述されている実施形態を参照すれば明確になるであろう。しかし、本発明は、以下で開示される実施形態に限定されるものではなく、多様な形態にも具現される。
【００１１】
以下、添付された図面を参照し、本発明の実施形態について詳細に説明するが、図面を参照して説明するとき、同一であるか、あるいは対応する構成要素は、同一図面符号を付し、それに係わる重複説明は、省略する。
【００１２】
以下の実施形態において、単数の表現は、文脈上明白に異なって意味しない限り、複数の表現を含む。
【００１３】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００１４】
以下の実施形態において、膜、領域、構成要素などの部分が他の部分の上または上部にあるとするとき、他の部分の真上にある場合だけではなく、その中間に、他の膜、領域、構成要素などが介在されている場合も含む。
【００１５】
図面においては、説明の便宜のために、構成要素がその大きさが誇張されていたり縮小されていたりする。例えば、図面に示された各構成の大きさ及び厚みは、説明の便宜のために任意に示されているので、本発明は、必ずしも図示されたところに限定されるものではない。
【００１６】
明細書において、「有機層」は、有機発光素子において、第１電極と第２電極との間に介在された単一及び／または複数の全ての層を示す用語である。「有機層」の層に含まれた物質は、有機物に限定されるものではない。
【００１７】
有機発光素子は、第１電極と、第２電極と、第１電極と第２電極との間に介在された有機層とを含む。有機層は、発光層を含み、発光層は、第１化合物、第２化合物及び第３化合物を含む。第１化合物は、下記化学式１で表される。第２化合物は、下記化学式２で表される。第３化合物は、下記化学式３で表される。第１化合物、第２化合物及び第３化合物は、互いに異なる。
【化５】
2020191443.tif 000007
（化学式１）
【化６】
2020191443.tif 000008
（化学式２）
【化７】
2020191443.tif 000009
（化学式３）
化学式１〜３で、
Ａ１１は、下記化学式１０で表される基である。
【化８】
2020191443.tif 000010
（化学式１０）
化学式１０において、
Ｒ１０１〜Ｒ１０８は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基（ｎｏｎ−ａｒｏｍａｔｉｃ  ｃｏｎｄｅｎｓｅｄ  ｐｏｌｙｃｙｃｌｉｃ  ｇｒｏｕｐ）、環形成原子数１−１５の一価非芳香族ヘテロ縮合多環基（ｎｏｎ−ａｒｏｍａｔｉｃ  ｃｏｎｄｅｎｓｅｄ  ｈｅｔｅｒｏｐｏｌｙｃｙｃｌｉｃ  ｇｒｏｕｐ）、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択される。
【００１８】
ｋ１１及びｋ１２は、互いに独立して、１、２、３及び４のうちから選択される。
【００１９】
Ｒ１１は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択される。
【００２０】
Ｌ２１〜Ｌ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、二価のＣ５−Ｃ１５炭素環基、及び環形成原子数１−１５の二価のヘテロ環基のうちから選択される。
【００２１】
ａ２１〜ａ２３は、互いに独立して、０、１及び２のうちから選択される。
【００２２】
Ｒ２１〜Ｒ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、及び環形成原子数１−１５の一価非芳香族ヘテロ縮合多環基；並びに
−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）及び−Ｐ（＝Ｓ）（Ｑ１）（Ｑ２）のうちから選択される。
【００２３】
Ｘ３１は、Ｎ（Ｒ３９）及びＣ（Ｒ３９）（Ｒ４０）のうちから選択される。
【００２４】
Ｒ３１〜Ｒ４０は、互いに独立して、＊−（Ｌ３１）ａ３１−Ａ３１で表される基、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択されるが、Ｒ３１〜Ｒ３９で、少なくとも一つは、＊−（Ｌ３１）ａ３１−Ａ３１で表される基である。
【００２５】
Ｌ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基  、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されないフェニレン基である。
【００２６】
ａ３１は、１、２及び３のうちから選択される。
【００２７】
Ａ３１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）、及び−Ｐ（＝Ｓ）（Ｑ３１）（Ｑ３２）のうちから選択された少なくとも１つの置換基で置換されたもしくは置換されない、カルバゾリル基及びフルオレニル基のうちから選択される。
【００２８】
Ｑ１〜Ｑ３、及びＱ３１〜Ｑ３３は、互いに独立して、水素、重水素、−Ｆ、−Ｃｌ、−Ｂｒ、−Ｉ、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、ビフェニリル基、及びビフェニリル基のうちから選択される。
【００２９】
＊は、隣接原子との結合サイトである。
【００３０】
例えば、化学式１で、ｋ１１及びｋ１２は、互いに独立して、１及び２のうちから選択されてもよい。
【００３１】
例えば、化学式１で、ｋ１１及びｋ１２の和は、３及び４のうちから選択されてもよい。
【００３２】
具体的には、第１化合物は、下記化学式１−１〜１−５８のうちいずれか一つによっても表される。
【化９】
2020191443.tif 000011
2020191443.tif 000012
2020191443.tif 000013
2020191443.tif 000014
2020191443.tif 000015
【００３３】
化学式１−１〜１−５８で、
Ａ１１ａ及びＡ１１ｂは、それぞれ化学式１のＡ１１の定義を参照し、
Ｒ１１ａ、Ｒ１１ｂ及びＲ１１ｃは、それぞれ化学式１のＲ１１の定義を参照する。
【００３４】
例えば、化学式１で、Ａ１１は、下記化学式１０−１及び１０−２のうちいずれか一つによっても表される：
【化１０】
2020191443.tif 000016
化学式１０−１及び１０−２で、
Ｒ１０３及びＲ１０６は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）、及び−Ｐ（＝Ｓ）（Ｑ１）（Ｑ２）のうちから選択される。
【００３５】
Ｑ１〜Ｑ３は、互いに独立して、水素、重水素、−Ｆ、−Ｃｌ、−Ｂｒ、−Ｉ、Ｃ１−Ｃ１０アルキル基、Ｃ２−Ｃ１０アルケニル基、Ｃ２−Ｃ１０アルキニル基、Ｃ１−Ｃ１０アルコキシ基、Ｃ３−Ｃ１０シクロアルキル基、環形成原子数１−１０のヘテロシクロアルキル基、Ｃ３−Ｃ１５シクロアルケニル基、環形成原子数１−１５のヘテロシクロアルケニル基、Ｃ６−Ｃ１５アリール基、Ｃ６−Ｃ１５アリールオキシ基、Ｃ６−Ｃ１５Ｃ６−Ｃ１５アリールチオ基、環形成原子数１−１５のヘテロアリール基、環形成原子数１−１５のヘテロアリールオキシ基、環形成原子数１−１５のヘテロアリールチオ基、環形成原子数１−１５の一価非芳香族縮合多環基、環形成原子数１−１５の一価非芳香族ヘテロ縮合多環基、ビフェニリル基、及びビフェニリル基のうちから選択される。
【００３６】
＊は、隣接原子との結合サイトである。
【００３７】
例えば、化学式１０，１０−１及び１０−２で、Ｒ１０３及びＲ１０６は、互いに独立して、−Ｆ、シアノ基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択されてもよい。
【００３８】
例えば、化学式１で、Ｒ１１は、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ３−Ｃ１５シクロアルケニル基、環形成原子数１−１５のヘテロシクロアルケニル基、Ｃ６−Ｃ１５アリール基、環形成原子数１−１５のヘテロアリール基、環形成原子数１−１５の一価非芳香族縮合多環基、及び環形成原子数１−１５の一価非芳香族ヘテロ縮合多環基のうちから選択されてもよい。
【００３９】
他の例として、化学式１で、Ｒ１１は、水素でもよい。
【００４０】
例えば、化学式２で、Ｌ２１〜Ｌ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択された少なくとも１つの置換基で置換されたもしくは置換されない、フェニレン基、ナフチレン基、フェナレニレン基、アントラセニレン基、フェナントレニレン基、ピリジニレン基、ピリミジニレン基、ピラジニレン基、ピリダジニレン基、トリアジニレン基、キノリニレン基、イソキノリニレン基、ベンゾキノリニレン基、ベンゾイソキノリニレン基、フタラジニレン基、ナフチリジニレン基、キノキサリニレン基、キナゾリニレン基、ベンゾキノキサリニレン基、ベンゾキナゾリニレン基、フルオレニレン基、カルバゾリレン基、ジベンゾフラニレン基、ジベンゾチオフェニレン基、アザフルオレニレン基、アザカルバゾリレン基、アザジベンゾフラニレン基、アザジベンゾチオフェニレン基、ジアザフルオレニレン基、ジアザカルバゾリレン基、ジアザジベンゾフラニレン基及びジアザジベンゾチオフェニレン基のうちから選択されてもよい。
【００４１】
例えば、化学式２で、ａ２１〜ａ２３は、互いに独立して、０及び１のうちから選択されてもよい。
【００４２】
化学式２で、ａ２１〜ａ２３が０であるならば、（Ｌ２１）ａ２１、（Ｌ２２）ａ２２及び（Ｌ２３）ａ２３は、単結合である。
【００４３】
例えば、化学式２で、Ｒ２１〜Ｒ２３は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基、ジアザジベンゾチオフェニル基、−Ｃ（Ｑ３１）（Ｑ３２）（Ｑ３３）、−Ｓｉ（Ｑ３１）（Ｑ３２）（Ｑ３３）、−Ｂ（Ｑ３１）（Ｑ３２）、−Ｎ（Ｑ３１）（Ｑ３２）、−Ｐ（Ｑ３１）（Ｑ３２）、−Ｃ（＝Ｏ）（Ｑ１）、−Ｓ（＝Ｏ）（Ｑ３１）、−Ｓ（＝Ｏ）２（Ｑ３１）、−Ｐ（＝Ｏ）（Ｑ３１）（Ｑ３２）及び−Ｐ（＝Ｓ）（Ｑ３１）（Ｑ３２）のうちから選択された少なくとも１つの置換基で置換されたもしくは置換されない、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基；並びに
−Ｃ（Ｑ１）（Ｑ２）（Ｑ３）、−Ｓｉ（Ｑ１）（Ｑ２）（Ｑ３）、−Ｂ（Ｑ１）（Ｑ２）、−Ｎ（Ｑ１）（Ｑ２）、−Ｐ（Ｑ１）（Ｑ２）、−Ｃ（＝Ｏ）（Ｑ１）、−Ｓ（＝Ｏ）（Ｑ１）、−Ｓ（＝Ｏ）２（Ｑ１）、−Ｐ（＝Ｏ）（Ｑ１）（Ｑ２）及び−Ｐ（＝Ｓ）（Ｑ１）（Ｑ２）のうちから選択される。
【００４４】
Ｑ１〜Ｑ３、及びＱ３１〜Ｑ３３は、互いに独立して、フェニル基、ビフェニリル基、ナフチル基、フェナレニル基、アントラセニル基、フェナントレニル基、ピリジニル基、ピラジニル基、ピリダジニル基、ピリミジニル基、トリアジニル基、キノリニル基、イソキノリニル基、ベンゾキノリニル基、ベンゾイソキノリニル基、フタラジニル基、ナフチリジニル基、キノキサリニル基、キナゾリニル基、ベンゾキノキサリニル基、ベンゾキナゾリニル基、フルオレニル基、カルバゾリル基、ジベンゾフラニル基、ジベンゾチオフェニル基、アザフルオレニル基、アザカルバゾリル基、アザジベンゾフラニル基、アザジベンゾチオフェニル基、ジアザフルオレニル基、ジアザカルバゾリル基、ジアザジベンゾフラニル基及びジアザジベンゾチオフェニル基のうちから選択されてもよい。
【００４５】
他の例として、化学式２で、Ｒ２１〜Ｒ２３は、互いに独立して、重水素、Ｃ１−Ｃ１０アルキル基、フェニル基、ビフェニリル基、ナフチル基、フェナレニル基、アントラセニル基、フェナントレニル基、フルオレニル基、カルバゾリル基、ジベンゾフラニル基、ジベンゾチオフェニル基、−Ｃ（Ｑ３１）（Ｑ３２）（Ｑ３３）及び−Ｓｉ（Ｑ３１）（Ｑ３２）（Ｑ３３）のうちから選択された少なくとも１つの置換基で置換されたもしくは置換されない、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基；並びに
−Ｃ（Ｑ１）（Ｑ２）（Ｑ３）及び−Ｓｉ（Ｑ１）（Ｑ２）（Ｑ３）；のうちから選択される。
【００４６】
Ｑ１〜Ｑ３、及びＱ３１〜Ｑ３３は、互いに独立して、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択されてもよい。
【００４７】
具体的には、化学式２で、Ｒ２１〜Ｒ２３のうち少なくとも一つは、下記化学式７−１で表される基、下記化学式７−２で表される基、−Ｃ（Ｑ１）（Ｑ２）（Ｑ３）、及び−Ｓｉ（Ｑ１）（Ｑ２）（Ｑ３）のうちから選択されてもよいが、それらに限定されるものではない。
【化１１】
2020191443.tif 000017
（化合物７−１）
【化１２】
2020191443.tif 000018
（化合物化７−２）
【００４８】
化学式７−１及び７−２で、
Ｙ７１は、フェニル基、ビフェニリル基、ナフチル基、フェナレニル基、アントラセニル基、フェナントレニル基、フルオレニル基、カルバゾリル基、ジベンゾフラニル基、ジベンゾチオフェニル基、−Ｃ（Ｑ３１）（Ｑ３２）（Ｑ３３）及び−Ｓｉ（Ｑ３１）（Ｑ３２）（Ｑ３３）のうちから選択される。
【００４９】
Ｒ７１〜Ｒ７４は、互いに独立して、水素、重水素、Ｃ１−Ｃ１０アルキル基、フェニル基、ビフェニリル基、ナフチル基、フェナレニル基、アントラセニル基、フェナントレニル基、フルオレニル基、カルバゾリル基、ジベンゾフラニル基、ジベンゾチオフェニル基、−Ｃ（Ｑ３１）（Ｑ３２）（Ｑ３３）及び−Ｓｉ（Ｑ３１）（Ｑ３２）（Ｑ３３）のうちから選択される。
【００５０】
Ｑ１〜Ｑ３、及びＱ３１〜Ｑ３３は、互いに独立して、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択される。
【００５１】
＊は、隣接原子との結合サイトである。
【００５２】
例えば、化学式３で、Ｘ３１は、Ｎ（Ｒ３９）でもよい。
【００５３】
例えば、化学式３で、Ｒ３１〜Ｒ４０は、互いに独立して、＊−（Ｌ３１）ａ３１−Ａ３１で表される基、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ１０アルキル基、Ｃ１−Ｃ１０アルコキシ基、フェニル基、ビフェニリル基、ナフチル基、フェナレニル基、アントラセニル基、フェナントレニル基、フルオレニル基、カルバゾリル基、ジベンゾフラニル基、及びジベンゾチオフェニル基のうちから選択されるが、Ｒ３１〜Ｒ３９で、少なくとも一つは、＊−（Ｌ３１）ａ３１−Ａ３１で表される基でもよい。
【００５４】
例えば、化学式３で、Ｌ３１は、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択された少なくとも１つの置換基で置換されたもしくは置換されないフェニレニル基でもよい。
【００５５】
例えば、化学式３で、ａ３１は、１及び２のうちから選択されてもよい。
【００５６】
例えば、化学式３で、Ａ３１は、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択された少なくとも１つの置換基で置換されたもしくは置換されないカルバゾリル基でもよい。
【００５７】
他の例として、化学式３で、Ａ３１は、下記化学式８−１〜８−５のうちいずれか一つによっても表される。
【化１３】
2020191443.tif 000019
【００５８】
化学式８−１〜８−５で、
Ｒ８１〜Ｒ８９は、互いに独立して、水素、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択される。
【００５９】
＊は、隣接原子との結合サイトである。
【００６０】
具体的には、第３化合物は、下記化学式３−１〜３−５のうちいずれか一つによっても表される。
【化１４】
2020191443.tif 000020
化学式３−１〜３−５で、
Ｌ３１、ａ３１、Ａ３１、及びＲ３１〜Ｒ３９は、それぞれ化学式３における定義を参照する。
【００６１】
例えば、化学式３−１〜３−５で、Ａ３１は、下記化学式８−１〜８−５のうちいずれか一つによっても表される。
【化１５】
2020191443.tif 000021
【００６２】
化学式８−１〜８−５で、
Ｒ８１〜Ｒ８９は、互いに独立して、水素、フェニル基、ビフェニリル基、ナフチル基、フェナレニル基、アントラセニル基、フェナントレニル基、フルオレニル基、カルバゾリル基、ジベンゾフラニル基及びジベンゾチオフェニル基のうちから選択される。
【００６３】
＊は、隣接原子との結合サイトである。
【００６４】
一実施形態において、第１化合物は、下記グループＩのうちから選択されてもよい。
【００６５】
＜グループＩ＞
【化１６】
2020191443.tif 000022
2020191443.tif 000023
2020191443.tif 000024
2020191443.tif 000025
2020191443.tif 000026
【００６６】
一実施形態において、第２化合物は、下記グループＩＩのうちから選択されてもよい：
＜グループＩＩ＞
【化１７】
2020191443.tif 000027
2020191443.tif 000028
2020191443.tif 000029
2020191443.tif 000030
2020191443.tif 000031
【００６７】
一実施形態において、第３化合物は、下記グループＩＩＩのうちから選択されてもよい：
＜グループＩＩＩ＞
【化１８】
2020191443.tif 000032
2020191443.tif 000033
2020191443.tif 000034
【００６８】
第１化合物は、遅延蛍光エミッタでもよい。具体的には、第１化合物は、熱活性化遅延蛍光（ＴＡＤＦ）エミッタでもよい。
【００６９】
第１化合物は、４５０ｎｍ〜５５０ｎｍ範囲の最大発光波長を有することができるが、それに限定されるものではない。
【００７０】
具体的には、発光層中の第１化合物は、励起子を形成するのに直接参与せず、形成された励起子からエネルギーを伝達されて青色遅延蛍光を放出することができる。
【００７１】
第１化合物は、下記条件１を満足することができる：
＜条件１＞
△ＥＳＴ（Ｃ１）≦０．３ｅＶ
条件１で、
△ＥＳＴ（Ｃ１）は、第１化合物の最低励起一重項エネルギーレベル（ＥＳ１（Ｃ１））と、最低励起三重項エネルギーレベル（ＥＴ１（Ｃ１））との差である。
【００７２】
ここで、ＥＳ１（Ｃ１）及びＥＴ１（Ｃ１）は、それぞれＢ３ＬＹＰ／６−３１Ｇ（ｄ，ｐ）レベルで構造最適化されたＧａｕｓｓｉａｎプログラムのＤＦＴ方法を利用しても評価される。
【００７３】
条件１を満足すれば、常温においても、十分に高い逆項間交差（ＲＩＳＣ：ｒｅｖｅｒｓｅ  ｉｎｔｅｒｓｙｓｔｅｍ  ｃｒｏｓｓｉｎｇ）効率を有することができる。
【００７４】
有機発光素子は、第１化合物から蛍光が放出されるエネルギーレベルを有するために、色純度が高い有機発光素子を提供することができる。
【００７５】
それだけではなく、第１化合物は、相対的に強いドナー、及び相対的に強いアクセプタを含むので、化学式１のＨＯＭＯ（ｈｉｇｈｅｓｔ  ｏｃｃｕｐｉｅｄ  ｍｏｌｅｃｕｌａｒ  ｏｒｂｉｔａｌ）及びＬＵＭＯ（ｌｏｗｅｓｔ  ｕｎｏｃｃｕｐｉｅｄ  ｍｏｌｅｃｕｌａｒ  ｏｒｂｉｔａｌ）が相対的に良好に分離される。それにより、ＨＯＭＯ及びＬＵＭＯの分離程度を強化させることができ、スピン軌道カップリング（ＳＯＣ：ｓｐｉｎ  ｏｒｂｉｔ  ｃｏｕｐｌｉｎｇ）が高くなるので、ＲＩＳＣ速度が向上する。従って、第１化合物を含む有機発光素子の効率及び／または寿命が向上する。
【００７６】
一般的に、電子輸送領域から発光層に電子が円滑に注入されることがなければ、発光層と電子輸送領域との界面に電荷が蓄積され、界面が劣化する。反対に、正孔輸送領域から発光層に正孔が円滑に注入されることがなければ、発光層と正孔輸送領域との界面に電荷が蓄積され、界面が劣化するので、それによる有機発光素子の寿命低下が発生してしまう。
【００７７】
第２化合物は、電子輸送性モイエティを必ず含む化合物であるために、有機発光素子の電子輸送特性制御に容易に利用される。第３化合物は、電子輸送性モイエティを含まない化合物であるために、有機発光素子の正孔輸送特性制御に容易に利用される。それを介して、有機発光素子の発光層内の電荷均衡を最適化させることができる。
【００７８】
具体的には、第２化合物及び第３化合物がエキシプレックス形成に適切なエネルギーレベルを有し、第２化合物及び第３化合物が、分子間相互作用を行う場合、第２化合物及び第３化合物から第１化合物への安定したエネルギー伝達を行うことができる。それにより、第１化合物〜第３化合物を含む有機発光素子の効率が向上する。
【００７９】
第２化合物は、立体障害が大きい置換基、具体的には、化学式７−１，７−２、−Ｃ（Ｑ１）（Ｑ２）（Ｑ３）及び−Ｓｉ（Ｑ１）（Ｑ２）（Ｑ３）で表される置換基を必ず含むために、最低励起三重項エネルギーレベルが相対的に高い。
【００８０】
また、第３化合物は、ａ３１が１、２及び３のうちから選択されるために、最低励起三重項エネルギーレベルが相対的に高い。
【００８１】
有機発光素子は、４５０ｎｍ以上５５０ｎｍ以下の範囲の遅延蛍光を放出することができるが、それに限定されるものではない。
【００８２】
発光層内において第２化合物は、発光層の総重量を基準に、１０〜９０重量％でもよい。が、それに限定されるものではない。
【００８３】
発光層内において第３化合物は、発光層の総重量を基準に、１０重量％以上９０重量％以下でもよい。が、それに限定されるものではない。
【００８４】
発光層内において第１化合物は、発光層の総重量を基準に、０．５重量％以上５重量％以下でもよい。が、それに限定されるものではない。
【００８５】
第１化合物の含量が、第２化合物及び第３化合物の含量総計１００重量部当たり、０．０１重量部以上ないし３０重量部以下の範囲でもよい。が、それに限定されるものではない。
【００８６】
第１化合物、第２化合物及び第３化合物が前述の範囲を満足すれば、効率及び寿命が同時に向上し、ロールオフが改善された有機発光素子を提供することができる。
【００８７】
一実施形態において、発光層は、第１化合物、第２化合物及び第３化合物からもなるが、それらに限定されるものではない。
【００８８】
一実施形態において、第１電極がアノードであり、第２電極がカソードであり、有機層は、第１電極と発光層との間に配置された正孔輸送領域及び／または発光層と第２電極との間に配置された電子輸送領域をさらに含み、正孔輸送領域は、正孔注入層、正孔輸送層、発光補助層、電子阻止層、またはその任意の組み合わせ（ｃｏｍｂｉｎａｔｉｏｎ）を含み、電子輸送領域は、正孔阻止層、電子輸送層、電子注入層、またはその任意の組み合わせを含んでもよいが、それらに限定されるものではない。
【００８９】
［図１についての説明］
図１は、本発明の一実施形態による有機発光素子１０の断面図を概略的に図示したものである。有機発光素子１０は、第１電極１１０、有機層１５０及び第２電極１９０を含む。
【００９０】
以下、図１を参照し、本発明の一実施形態による有機発光素子１０の構造及び製造方法について説明すれば、次の通りである。
【００９１】
［第１電極１１０］
図１の第１電極１１０の下部、または第２電極１９０の上部には、基板が追加して配置される。基板としては、機械的強度、熱安定性、透明性、表面平滑性、取り扱い容易性及び防水性にすぐれるガラス基板またはプラスチック基板を使用することができる。
【００９２】
第１電極１１０は、例えば、基板上部に、第１電極用物質を、蒸着法またはスパッタリング法などを利用して提供することによっても形成される。第１電極１１０がアノードである場合、正孔注入が容易であるいように、第１電極用物質は、高い仕事関数を有する物質のうちから選択されてもよい。
【００９３】
第１電極１１０は、反射型電極、半透過型電極または透過型電極でもよい。透過型電極である第１電極１１０を形成するために、第１電極用物質は、酸化インジウムスズ（ＩＴＯ）、酸化インジウム亜鉛（ＩＺＯ）、酸化スズ（ＳｎＯ２）、酸化亜鉛（ＺｎＯ）、及びその任意の組み合わせのうちから選択されてもよいが、それらに限定されるものではない。または、半透過型電極または反射型電極である第１電極１１０を形成するために、第１電極用物質は、マグネシウム（Ｍｇ）、銀（Ａｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、及びその任意の組み合わせのうちから選択されてもよいが、それらに限定されるものではない。
【００９４】
第１電極１１０は、単一層である単層構造、または複数の層を有する多層構造を有することができる。例えば、第１電極１１０は、ＩＴＯ／Ａｇ／ＩＴＯの３層構造を有することができるが、それに限定されるものではない。
【００９５】
［有機層１５０］
第１電極１１０上部には、有機層１５０が配置されている。有機層１５０は、発光層を含む。
【００９６】
有機層１５０は、第１電極１１０と発光層との間に介在された正孔輸送領域（ｈｏｌｅ  ｔｒａｎｓｐｏｒｔ  ｒｅｇｉｏｎ）、及び発光層と第２電極１９０との間に介在された電子輸送領域（ｅｌｅｃｔｒｏｎ  ｔｒａｎｓｐｏｒｔ  ｒｅｇｉｏｎ）をさらに含んでもよい。
【００９７】
［有機層１５０における正孔輸送領域］
正孔輸送領域は、ｉ）単一物質からなる単一層からなる単層構造、ｉｉ）複数の互いに異なる物質からなる単一層からなる単層構造、あるいはｉｉｉ）複数の互いに異なる物質からなる複数の層を有する多層構造を有することができる。
【００９８】
正孔輸送領域は、正孔注入層（ＨＩＬ）、正孔輸送層（ＨＴＬ）、発光補助層及び電子阻止層（ＥＢＬ）のうちから選択された少なくとも１層を含んでもよい。
【００９９】
例えば、正孔輸送領域は、複数の互いに異なる物質からなる単一層からなる単層構造を有するか、あるいは第１電極１１０から順に積層された正孔注入層／正孔輸送層、正孔注入層／正孔輸送層／発光補助層、正孔注入層／発光補助層、正孔輸送層／発光補助層または正孔注入層／正孔輸送層／電子阻止層の多層構造を有することができるが、それらに限定されるものではない。
【０１００】
正孔輸送領域は、ｍ−ＭＴＤＡＴＡ、ＴＤＡＴＡ、２−ＴＮＡＴＡ、ＮＰＢ（ＮＰＤ）、β−ＮＰＢ、ＴＰＤ、ｓｐｉｒｏ−ＴＰＤ、ｓｐｉｒｏ−ＮＰＢ、メチル化された−ＮＰＢ、ＴＡＰＣ、ＨＭＴＰＤ、４，４’，４”−トリス（Ｎ−カルバゾリル）トリフェニルアミン（ＴＣＴＡ）、ポリアニリン／ドデシルベンゼンスルホン酸（Ｐａｎｉ／ＤＢＳＡ）、ポリ（３，４−エチレンジオキシチオフェン）／ポリ（４−スチレンスルホネート）（ＰＥＤＯＴ／ＰＳＳ）、ポリアニリン／カンファースルホン酸（Ｐａｎｉ／ＣＳＡ）、ポリアニリン／ポリ（４−スチレンスルホネート）（ＰＡＮＩ／ＰＳＳ）、下記化学式２０１で表される化合物、及び下記化学式２０２で表される化合物のうちから選択された少なくとも一つを含んでもよい。
【化１９】
2020191443.tif 000035
2020191443.tif 000036
2020191443.tif 000037
（化合物２０１）
2020191443.tif 000038
（化合物２０２）
【０１０１】
化学式２０１及び２０２で、
Ｌ２０１〜Ｌ２０４は、互いに独立して、置換されたもしくは置換されないＣ３−Ｃ１０シクロアルキレン基、置換されたもしくは置換されないＣ１−Ｃ１０ヘテロシクロアルキレン基、置換されたもしくは置換されないＣ３−Ｃ１０シクロアルケニレン基、置換されたもしくは置換されないＣ１−Ｃ１０ヘテロシクロアルケニレン基、置換されたもしくは置換されないＣ６−Ｃ６０アリーレン基、置換されたもしくは置換されないＣ１−Ｃ６０ヘテロアリーレン基、置換されたもしくは置換されない二価非芳香族縮合多環基、及び置換されたもしくは置換されない二価非芳香族ヘテロ縮合多環基のうちから選択される。
【０１０２】
Ｌ２０５は、＊−Ｏ−＊’、＊−Ｓ−＊’、＊−Ｎ（Ｑ２０１）−＊’、置換されたもしくは置換されないＣ１−Ｃ２０アルキレン基、置換されたもしくは置換されないＣ２−Ｃ２０アルケニレン基、置換されたもしくは置換されないＣ３−Ｃ１０シクロアルキレン基、置換されたもしくは置換されないＣ１−Ｃ１０ヘテロシクロアルキレン基、置換されたもしくは置換されないＣ３−Ｃ１０シクロアルケニレン基、置換されたもしくは置換されないＣ１−Ｃ１０ヘテロシクロアルケニレン基、置換されたもしくは置換されないＣ６−Ｃ６０アリーレン基、置換されたもしくは置換されないＣ１−Ｃ６０ヘテロアリーレン基、置換されたもしくは置換されない二価非芳香族縮合多環基、及び置換されたもしくは置換されない二価非芳香族ヘテロ縮合多環基のうちから選択される。
【０１０３】
ｘａ１〜ｘａ４は、互いに独立して、０〜３の整数のうちから選択される。
【０１０４】
ｘａ５は、１〜１０の整数のうちから選択される。
【０１０５】
Ｒ２０１〜Ｒ２０４、及びＱ２０１は、互いに独立して、置換されたもしくは置換されないＣ３−Ｃ１０シクロアルキル基、置換されたもしくは置換されないＣ１−Ｃ１０ヘテロシクロアルキル基、置換されたもしくは置換されないＣ３−Ｃ１０シクロアルケニル基、置換されたもしくは置換されないＣ１−Ｃ１０ヘテロシクロアルケニル基、置換されたもしくは置換されないＣ６−Ｃ６０アリール基、置換されたもしくは置換されないＣ６−Ｃ６０アリールオキシ基、置換されたもしくは置換されないＣ６−Ｃ６０アリールチオ基、置換されたもしくは置換されないＣ１−Ｃ６０ヘテロアリール基、置換されたもしくは置換されない一価非芳香族縮合多環基、及び置換されたもしくは置換されない一価非芳香族ヘテロ縮合多環基のうちから選択されてもよい。
【０１０６】
例えば、化学式２０２において、Ｒ２０１とＲ２０２は、選択的に（ｏｐｔｉｏｎａｌｌｙ）、単結合、ジメチル−メチレン基またはジフェニル−メチレン基を介しても互いに連結される。Ｒ２０３とＲ２０４は、選択的に、単一結合、ジメチル−メチレン基またはジフェニル−メチレン基を介しても互いに連結される。
【０１０７】
一実施形態によれば、化学式２０１及び２０２で、
Ｌ２０１〜Ｌ２０５は、互いに独立して、
フェニレン基、ペンタレニレン基、インデニレン基、ナフチレン基、アズレニレン基、ヘプタレニレン基、インダセニレン基、アセナフチレン基、フルオレニレン基、スピロ−ビフルオレニレン基、ベンゾフルオレニレン基、ジベンゾフルオレニレン基、フェナレニレン基、フェナントレニレン基、アントラセニレン基、フルオランテニレン基、トリフェニレニレン基、ピレニレン基、クリセニレン基、ナフタセニレン基、ピセニレン基、ペリレニレン基、ペンタフェニレン基、ヘキサセニレン基、ペンタセニレン基、ルビセニレン基、コロネニレン基、オバレニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ビフェニリル基、Ｃ１−Ｃ１０アルキル基で置換されビフェニリル基、−Ｆで置換されビフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンビフェニリル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、−Ｓｉ（Ｑ３１）（Ｑ３２）（Ｑ３３）、及び−Ｎ（Ｑ３１）（Ｑ３２）のうちから選択された少なくとも一つで置換された、フェニレン基、ペンタレニレン基、インデニレン基、ナフチレン基、アズレニレン基、ヘプタレニレン基、インダセニレン基、アセナフチレン基、フルオレニレン基、スピロ−ビフルオレニレン基、ベンゾフルオレニレン基、ジベンゾフルオレニレン基、フェナレニレン基、フェナントレニレン基、アントラセニレン基、フルオランテニレン基、トリフェニレニレン基、ピレニレン基、クリセニレン基、ナフタセニレン基、ピセニレン基、ペリレニレン基、ペンタフェニレン基、ヘキサセニレン基、ペンタセニレン基、ルビセニレン基、コロネニレン基、オバレニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレニル基；のうちから選択される。
【０１０８】
前述のＱ３１〜Ｑ３３は、互いに独立して、Ｃ１−Ｃ１０アルキル基、Ｃ１−Ｃ１０アルコキシ基、フェニル基、ビフェニリル基、ビフェニリル基及びナフチル基のうちから選択されてもよい。
【０１０９】
他の実施形態によれば、ｘａ１〜ｘａ４は、互いに独立して、０、１または２でもよい。
【０１１０】
さらに他の実施形態によれば、ｘａ５は、１、２、３または４でもよい。
【０１１１】
さらに他の実施形態によれば、Ｒ２０１〜Ｒ２０４、及びＱ２０１は、互いに独立して、フェニル基、ビフェニリル基、ビフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンビフェニリル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ビフェニリル基、Ｃ１−Ｃ１０アルキル基で置換されビフェニリル基、−Ｆで置換されビフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンビフェニリル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、−Ｓｉ（Ｑ３１）（Ｑ３２）（Ｑ３３）、及び−Ｎ（Ｑ３１）（Ｑ３２）のうちから選択された少なくとも一つで置換されビフェニリル基、ビフェニリル基、ビフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンビフェニリル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；のうちからも選択される。
【０１１２】
前述のＱ３１〜Ｑ３３についての説明は、本明細書に記載されたところを参照する。
【０１１３】
さらに他の実施形態によれば、化学式２０１で、Ｒ２０１〜Ｒ２０３のうち少なくとも一つは、互いに独立して、
フルオレニル基、スピロ−ビフルオレニル基、カルバゾリル基、ジベンゾフラニル基及びジベンゾチオフェニル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ビフェニリル基、Ｃ１−Ｃ１０アルキル基で置換されビフェニリル基、−Ｆで置換されビフェニリル基、ナフチル基、フルオレニル基、スピロ−ビフルオレニル基、カルバゾリル基、ジベンゾフラニル基、及びジベンゾチオフェニル基のうちから選択された少なくとも一つで置換された、フルオレニル基、スピロ−ビフルオレニル基、カルバゾリル基、ジベンゾフラニル基及びジベンゾチオフェニル基；のうちから選択されてもよいが、それらに限定されるものではない。
【０１１４】
さらに他の実施形態によれば、化学式２０２で、ｉ）Ｒ２０１とＲ２０２は、単一結合を介して互いに連結される。かつ／またはｉｉ）Ｒ２０３とＲ２０４は、単結合を介して互いに連結される。
【０１１５】
さらに他の実施形態によれば、化学式２０２で、Ｒ２０１〜Ｒ２０４のうち少なくとも一つは、  カルバゾリル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ビフェニリル基、Ｃ１−Ｃ１０アルキル基で置換されビフェニリル基、−Ｆで置換されビフェニリル基、ナフチル基、フルオレニル基、スピロ−ビフルオレニル基、カルバゾリル基、ジベンゾフラニル基、及びジベンゾチオフェニル基のうちから選択された少なくとも一つで置換されたカルバゾリル基；のうちから選択されてもよいが、それらに限定されるものではない。
【０１１６】
化学式２０１で表される化合物は、下記化学式２０１Ａによっても表される。
【化２０】
2020191443.tif 000039
（化学式２０１Ａ）
【０１１７】
例えば、化学式２０１で表される化合物は、下記化学式２０１Ａ（１）によっても表されるが、それに限定されるものではない。
【化２１】
2020191443.tif 000040
（化学式２０１Ａ（１））
【０１１８】
さらに他の例として、化学式２０１で表される化合物は、下記化学式２０１Ａ−１によっても表されるが、それに限定されるものではない。
【化２２】
2020191443.tif 000041
（化学式２０１Ａ−１）
【０１１９】
一方、化学式２０２で表される化合物は、下記化学式２０２Ａによっても表される：
【化２３】
2020191443.tif 000042
（化学式２０２Ａ）
【０１２０】
さらに他の実施形態によれば、化学式２０２で表される化合物は、下記化学式２０２Ａ−１によっても表される：
【化２４】
2020191443.tif 000043
（化学式２０２Ａ−１）
【０１２１】
化学式２０１Ａ，２０１Ａ（１），２０１Ａ−１，２０２Ａ及び２０２Ａ−１である。
【０１２２】
Ｌ２０１〜Ｌ２０３、ｘａ１〜ｘａ３、ｘａ５、及びＲ２０２〜Ｒ２０４についての説明は、本明細書に記載されたところを参照する。
【０１２３】
Ｒ２１１及びＲ２１２についての説明は本明細書において、Ｒ２０３についての説明を参照する。
【０１２４】
Ｒ２１３〜Ｒ２１７は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ビフェニリル基、Ｃ１−Ｃ１０アルキル基で置換されビフェニリル基、−Ｆで置換されビフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンビフェニリル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、及びピリジニル基のうちから選択されてもよい。
【０１２５】
正孔輸送領域は、下記化合物ＨＴ１〜ＨＴ３９のうちから選択された少なくとも１つの化合物を含んでもよいが、それらに限定されるものではない。
【化２５】
2020191443.tif 000044
2020191443.tif 000045
2020191443.tif 000046
2020191443.tif 000047
2020191443.tif 000048
2020191443.tif 000049
2020191443.tif 000050
【０１２６】
正孔輸送領域の厚みは、約１０ｎｍ以上約１０，００ｎｍ以下、例えば、約１０ｎｍ以上約１００ｎｍ以下でもよい。正孔輸送領域が、正孔注入層及び正孔輸送層のうち少なくとも１層を含むならば、正孔注入層の厚みは、約１０ｎｍ以上約９００ｎｍ以下、例えば、約１０ｎｍ以上約１００ｎｍ以下である。正孔輸送層の厚みは、約５ｎｍ以上約２００ｎｍ以下、例えば、約１０ｎｍ以上約１５０ｎｍ以下でもよい。正孔輸送領域、正孔注入層及び正孔輸送層の厚みが前述のような範囲を満足する場合、実質的な駆動電圧の上昇なしに、満足すべき正孔輸送特性を得ることができる。
【０１２７】
発光補助層は、発光層から放出される光の波長による光学的共振距離を補償し、光放出効率を上昇させる役割を行う層である。電子阻止層は、電子輸送領域からの電子注入を防止する役割を行う層である。発光補助層及び電子阻止層には、前述のような物質が含まれてもよい。
【０１２８】
［ｐ−ドーパント］
正孔輸送領域は、前述のような物質以外に、導電性向上のために、電荷生成物質をさらに含んでもよい。電荷生成物質は、正孔輸送領域内に均一にも不均一にも分散されている。
【０１２９】
電荷生成物質は、例えば、ｐ−ドーパントでもよい。
【０１３０】
一実施形態によれば、ｐ−ドーパントのＬＵＭＯは、−３．５ｅＶ以下でもよい。
【０１３１】
ｐ−ドーパントは、キノン誘導体、金属酸化物及びシアノ基含有化合物のうちから選択された少なくとも一つを含んでもよいが、それらに限定されるものではない。
【０１３２】
例えば、ｐ−ドーパントは、テトラシアノキノジメタン（ＴＣＮＱ）及び２，３，５，６−テトラフルオロ−７，７，８，８−テトラシアノキノジメタン（Ｆ４−ＴＣＮＱ）のようなキノン誘導体；
タングステン酸化物及びモリブデン酸化物のような金属酸化物；
１，４，５，８，９，１２−ヘキサアザトリフェニレン−ヘキサカルボニトリル（ＨＡＴ−ＣＮ）；及び
下記化学式２２１で表される化合物；のうちから選択された少なくとも一つを含んでもよいが、それらに限定されるものではない：
＜Ｆ４−ＴＣＮＱ＞
【化２６】
2020191443.tif 000051
＜ＨＡＴ−ＣＮ＞
【化２７】
2020191443.tif 000052
【化２８】
2020191443.tif 000053
（化学式２２１）
【０１３３】
化学式２２１で、
Ｒ２２１〜Ｒ２２３は、互いに独立して、置換されたもしくは置換されないＣ３−Ｃ１０シクロアルキル基、置換されたもしくは置換されないＣ１−Ｃ１０ヘテロシクロアルキル基、置換されたもしくは置換されないＣ３−Ｃ１０シクロアルケニル基、置換されたもしくは置換されないＣ１−Ｃ１０ヘテロシクロアルケニル基、置換されたもしくは置換されないＣ６−Ｃ６０アリール基、置換されたもしくは置換されないＣ１−Ｃ６０ヘテロアリール基、置換されたもしくは置換されない一価非芳香族縮合多環基、及び置換されたもしくは置換されない一価非芳香族ヘテロ縮合多環基のうちから選択されるが、前述のＲ２２１〜Ｒ２２３のうち少なくとも一つは、シアノ基、−Ｆ、−Ｃｌ、−Ｂｒ、−Ｉ、−Ｆで置換されたＣ１−Ｃ２０アルキル基、−Ｃｌで置換されたＣ１−Ｃ２０アルキル基、−Ｂｒで置換されたＣ１−Ｃ２０アルキル基、及び−Ｉで置換されたＣ１−Ｃ２０アルキル基のうちから選択された少なくとも１つの置換基を有する。
【０１３４】
［有機層１５０における発光層］
有機発光素子１０がフルカラー有機発光素子である場合、発光層は、個別副画素別に、赤色発光層、緑色発光層及び青色発光層にもパターニングされる。または、発光層は、赤色発光層、緑色発光層及び青色発光層のうちから選択された２以上の層が接触または離隔されて積層された構造を有するか、あるいは赤色光放出物質、緑色光放出物質及び青色光放出物質のうちから選択された２以上の物質が層区分なしに混合された構造を有し、白色光を放出することができる。
【０１３５】
発光層の厚みは、約１０ｎｍ以上約１００ｎｍ以下、例えば、約２０ｎｍ以上約６０ｎｍ以下でもよい。発光層の厚みが前述のような範囲を満足する場合、実質的な駆動電圧の上昇なしに、優秀な発光特性を示すことができる。
【０１３６】
［有機層１５０における電子輸送領域］
電子輸送領域は、ｉ）単一物質からなる単一層からなる単層構造、ｉｉ）複数の互いに異なる物質からなる単一層からなる単層構造、あるいはｉｉｉ）複数の互いに異なる物質からなる複数の層を有する多層構造を有することができる。
【０１３７】
電子輸送領域は、バッファ層、正孔阻止層、電子調節層、電子輸送層（ＥＴＬ）及び電子注入層のうちから選択された少なくとも１層を含んでもよいが、それらに限定されるものではない。
【０１３８】
例えば、電子輸送領域は、発光層から順に積層された電子輸送層／電子注入層、正孔阻止層／電子輸送層／電子注入層、電子調節層／電子輸送層／電子注入層、またはバッファ層／電子輸送層／電子注入層などの構造を有することができるが、それらに限定されるものではない。
【０１３９】
電子輸送領域（例えば、電子輸送領域におけるバッファ層、正孔阻止層、電子調節層または電子輸送層）は、π電子欠乏性含窒素環を少なくとも一つ含む金属非含有化合物を含んでもよい。
【０１４０】
「π電子欠乏性含窒素環」は、環形成モイエティであり、少なくとも１つの＊−Ｎ＝＊’モイエティを有するＣ１−Ｃ６０ヘテロ環基を意味する。
【０１４１】
例えば、「π電子欠乏性含窒素環」は、ｉ）少なくとも１つの＊−Ｎ＝＊’モイエティを有する５員〜７員のヘテロ単環基であるか、ｉｉ）少なくとも１つの＊−Ｎ＝＊’モイエティを有する５員〜７員のヘテロ単環基のうち２以上が互いに縮合されているヘテロ多環基であるか、あるいはｉｉｉ）少なくとも１つの＊−Ｎ＝＊’モイエティを有する５員〜７員のヘテロ単環基のうち少なくとも一つと、少なくとも１つのＣ５−Ｃ６０炭素環基とが互いに縮合されているヘテロ多環基でもよい。
【０１４２】
π電子欠乏性含窒素環の具体例としては、イミダゾール、ピラゾール、チアゾール、イソチアゾール、オキサゾール、イソオキサゾール、ピリジン、ピラジン、ピリミジン、ピリダジン、インダゾール、プリン、キノリン、イソキノリン、ベンゾキノリン、フタラジン、ナフチリジン、キノキサリン、キナゾリン、シンノリン、フェナントリジン、アクリジン、フェナントロリン、フェナジン、ベンゾイミダゾール、イソベンゾチアゾール、ベンゾオキサゾール、イソベンゾオキサゾール、トリアゾール、テトラゾール、オキサジアゾール、トリアジン、チアジアゾール、イミダゾピリジン、イミダゾピリミジン、アザカルバゾールなどを挙げることができるが、それらに限定されるものではない。
【０１４３】
例えば、電子輸送領域は、下記化学式６０１で表される化合物を含んでもよい。
【化２９】
2020191443.tif 000054
（化学式６０１）
【０１４４】
化学式６０１で、
Ａｒ６０１は、置換されたもしくは置換されないＣ５−Ｃ６０炭素環基、または置換されたもしくは置換されないＣ１−Ｃ６０ヘテロ環基である。
ｘｅ１１は、１、２または３である。
【０１４５】
Ｌ６０１は、置換されたもしくは置換されないＣ３−Ｃ１０シクロアルキレン基、置換されたもしくは置換されないＣ１−Ｃ１０ヘテロシクロアルキレン基、置換されたもしくは置換されないＣ３−Ｃ１０シクロアルケニレン基、置換されたもしくは置換されないＣ１−Ｃ１０ヘテロシクロアルケニレン基、置換されたもしくは置換されないＣ６−Ｃ６０アリーレン基、置換されたもしくは置換されないＣ１−Ｃ６０ヘテロアリーレン基、置換されたもしくは置換されない二価非芳香族縮合多環基、及び置換されたもしくは置換されない二価非芳香族ヘテロ縮合多環基のうちから選択される。
【０１４６】
ｘｅ１は、０〜５の整数のうちから選択される。
【０１４７】
Ｒ６０１は、置換されたもしくは置換されないＣ３−Ｃ１０シクロアルキル基、置換されたもしくは置換されないＣ１−Ｃ１０ヘテロシクロアルキル基、置換されたもしくは置換されないＣ３−Ｃ１０シクロアルケニル基、置換されたもしくは置換されないＣ１−Ｃ１０ヘテロシクロアルケニル基、置換されたもしくは置換されないＣ６−Ｃ６０アリール基、置換されたもしくは置換されないＣ６−Ｃ６０アリールオキシ基、置換されたもしくは置換されないＣ６−Ｃ６０アリールチオ基、置換されたもしくは置換されないＣ１−Ｃ６０ヘテロアリール基、置換されたもしくは置換されない一価非芳香族縮合多環基、置換されたもしくは置換されない一価非芳香族ヘテロ縮合多環基、−Ｓｉ（Ｑ６０１）（Ｑ６０２）（Ｑ６０３）、−Ｃ（＝Ｏ）（Ｑ６０１）、−Ｓ（＝Ｏ）２（Ｑ６０１）、及び−Ｐ（＝Ｏ）（Ｑ６０１）（Ｑ６０２）のうちから選択される。
【０１４８】
前述のＱ６０１〜Ｑ６０３は、互いに独立して、Ｃ１−Ｃ１０アルキル基、Ｃ１−Ｃ１０アルコキシ基、フェニル基、ビフェニリル基、ビフェニリル基またはナフチル基である。
【０１４９】
ｘｅ２１は、１〜５の整数のうちから選択される。
【０１５０】
一実施形態によれば、ｘｅ１１個のＡｒ６０１、及びｘｅ２１個のＲ６０１のうち少なくとも一つは、前述のようなπ電子欠乏性含窒素環を含んでもよい。
【０１５１】
一実施形態によれば、化学式６０１で環Ａｒ６０１は、
フェニル基、ナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、インデノアントラセニル基、ジベンゾフラニル基、ジベンゾチオフェニル基、カルバゾリル基、イミダゾリル基、ピラゾリル基、チアゾリル基、イソチアゾリル基、オキサゾリル基、イソオキサゾリル基、ピリジニル基、ピラジニル基、ピリミジニル基、ピリダジニル基、インダゾリル基、プリニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、オキサジアゾリル基、トリアジニル基、チアジアゾリル基、イミダゾピリジニル基、イミダゾピリミジニル基及びアザカルバゾリル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ビフェニリル基、ナフチル基、−Ｓｉ（Ｑ３１）（Ｑ３２）（Ｑ３３）、−Ｓ（＝Ｏ）２（Ｑ３１）及び−Ｐ（＝Ｏ）（Ｑ３１）（Ｑ３２）のうちから選択された少なくとも一つで置換された、フェニル基、ナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、インデノアントラセニル基、ジベンゾフラニル基、ジベンゾチオフェニル基、カルバゾリル基、イミダゾリル基、ピラゾリル基、チアゾリル基、イソチアゾリル基、オキサゾリル基、イソオキサゾリル基、ピリジニル基、ピラジニル基、ピリミジニル基、ピリダジニル基、インダゾリル基、プリニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、オキサジアゾリル基、トリアジニル基、チアジアゾリル基、イミダゾピリジニル基、イミダゾピリミジニル基及びアザカルバゾール基；のうちからも選択される。
【０１５２】
前述のＱ３１〜Ｑ３３は、互いに独立して、Ｃ１−Ｃ１０アルキル基、Ｃ１−Ｃ１０アルコキシ基、フェニル基、ビフェニリル基、ビフェニリル基及びナフチル基のうちから選択されてもよい。
【０１５３】
化学式６０１で、ｘｅ１１が２以上である場合、２以上のＡｒ６０１は、単一結合を介しても互いに連結される。
【０１５４】
他の実施形態によれば、化学式６０１でＡｒ６０１は、アントラセニル基でもよい。
【０１５５】
さらに他の実施形態によれば、６０１で表される化合物は、下記化学式６０１−１によっても表される：
【化３０】
2020191443.tif 000055
（化合物６０１−１）
【０１５６】
化学式６０１−１で、
Ｘ６１４は、ＮまたはＣ（Ｒ６１４）である。Ｘ６１５は、ＮまたはＣ（Ｒ６１５）である。Ｘ６１６は、ＮまたはＣ（Ｒ６１６）である。Ｘ６１４〜Ｘ６１６のうち少なくとも一つは、Ｎである。
【０１５７】
Ｌ６１１〜Ｌ６１３は、互いに独立して、Ｌ６０１についての説明を参照する。
【０１５８】
ｘｅ６１１〜ｘｅ６１３は、互いに独立して、ｘｅ１についての説明を参照する。
【０１５９】
Ｒ６１１〜Ｒ６１３は、互いに独立して、Ｒ６０１についての説明を参照する。
【０１６０】
Ｒ６１４〜Ｒ６１６は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ビフェニリル基及びナフチル基のうちから選択されてもよい。
【０１６１】
一実施形態によれば、化学式６０１及び６０１−１で、Ｌ６０１、及びＬ６１１〜Ｌ６１３は、互いに独立して、
フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基、ピリジニレン基、イミダゾリレン基、ピラゾリレン基、チアゾリレン基、イソチアゾリレン基、オキサゾリレン基、イソキサゾリレン基、チアジアゾリレン基、オキサジアゾリレン基、ピラジニレン基、ピリミジニレン基、ピリダジニレン基、トリアジニレン基、キノリニレン基、イソキノリニレン基、ベンゾキノリニレン基、フタラジニレン基、ナフチリジニレン基、キノキサリニレン基、キナゾリニレン基、シンノリニレン基、フェナントリジニレン基、アクリジニレン基、フェナントロリニレン基、フェナジニレン基、ベンゾイミダゾリレン基、イソベンゾチアゾリレン基、ベンゾオキサゾリレン基、イソベンゾオキサゾリレン基、トリアゾリレン基、テトラゾリレン基、イミダゾピリジニレン基、イミダゾピリミジニレン基及びアザカルバゾリレン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ビフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンビフェニリル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基のうちから選択された少なくとも一つで置換された、フェニレニル基、ナフチレニル基、フルオレニレニル基、スピロ−ビフルオレニレニル基、ベンゾフルオレニレニル基、ジベンゾフルオレニレニル基、フェナントレニレニル基、アントラセニレニル基、フルオランテニレニル基、トリフェニレニレニル基、ピレニレニル基、クリセニレニル基、ペリレニレニル基、ペンタフェニレニル基、ヘキサセニレニル基、ペンタセニレニル基、チオフェニレニル基、フラニレニル基、カルバゾリレニル基、インドリレニル基、イソインドリレニル基、ベンゾフラニレニル基、ベンゾチオフェニレニル基、ジベンゾフラニレニル基、ジベンゾチオフェニレニル基、ベンゾカルバゾリレニル基、ジベンゾカルバゾリレニル基、ジベンゾシロリレニル基、ピリジニレニル基、イミダゾリレニル基、ピラゾリレニル基、チアゾリレニル基、イソチアゾリレニル基、オキサゾリレニル基、イソキサゾリレニル基、チアジアゾリレニル基、オキサジアゾリレニル基、ピラジニレニル基、ピリミジニレニル基、ピリダジニレニル基、トリアジニレニル基、キノリニレニル基、イソキノリニレニル基、ベンゾキノリニレニル基、フタラジニレニル基、ナフチリジニレニル基、キノキサリニレニル基、キナゾリニレニル基、シンノリニレニル基、フェナントリジニレニル基、アクリジニレニル基、フェナントロリニレニル基、フェナジニレニル基、ベンゾイミダゾリレニル基、イソベンゾチアゾリレニル基、ベンゾオキサゾリレニル基、イソベンゾオキサゾリレニル基、トリアゾリレニル基、テトラゾリレニル基、イミダゾピリジニレニル基、イミダゾピリミジニレニル基及びアザカルバゾリレニル基；のうちから選択されてもよいが、それらに限定されるものではない。
【０１６２】
他の実施形態によれば、化学式６０１及び６０１−１で、ｘｅ１、及びｘｅ６１１〜ｘｅ６１３は、互いに独立して、０、１または２でもよい。
【０１６３】
さらに他の実施形態によれば、化学式６０１及び６０１−１で、Ｒ６０１、及びＲ６１１〜Ｒ６１３は、互いに独立して、
フェニル基、ビフェニリル基、ビフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンビフェニリル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ビフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンビフェニリル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基のうちから選択された少なくとも一つで置換されビフェニリル基、ビフェニリル基、ビフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンビフェニリル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基；並びに
−Ｓ（＝Ｏ）２（Ｑ６０１）及び−Ｐ（＝Ｏ）（Ｑ６０１）（Ｑ６０２）；のうちから選択される。
【０１６４】
前述であるＱ６０１及びＱ６０２についての説明は、本明細書に記載されたところを参照する。
【０１６５】
電子輸送領域は、下記化合物ＥＴ１〜ＥＴ３６のうちから選択された少なくとも１つの化合物を含んでもよいが、それらに限定されるものではない。
【化３１】
2020191443.tif 000056
2020191443.tif 000057
2020191443.tif 000058
2020191443.tif 000059
2020191443.tif 000060
2020191443.tif 000061
2020191443.tif 000062
2020191443.tif 000063
2020191443.tif 000064
2020191443.tif 000065
2020191443.tif 000066
2020191443.tif 000067
【０１６６】
または、電子輸送領域は、２，９−ジメチル−４，７−ジフェニル−１，１０−フェナントロリン（ＢＣＰ）、４，７−ジフェニル−１，１０−フェナントロリン（Ｂｐｈｅｎ）、Ａｌｑ３、ＢＡｌｑ、３−（ビフェニリル４−イル）−５−（４−ｔｅｒｔ−ブチルフェニル）−４−フェニル−４Ｈ−１，２，４−トリアゾール（ＴＡＺ）、ＮＴＡＺ及びジフェニル（４−（トリフェニルシリル）フェニル）−ホスフィンオキシド（ＴＳＰＯ１）のうちから選択された少なくとも１つの化合物を含んでもよい。
【化３２】
2020191443.tif 000068
2020191443.tif 000069
【０１６７】
前述のバッファ層、正孔阻止層または電子調節層の厚みは、互いに独立して、約２ｎｍ以上約１００ｎｍ以下、例えば、約３ｎｍ以上約３０ｎｍ以下でもよい。バッファ層、正孔阻止層または電子調節層の厚みが前述のような範囲を満足する場合、実質的な駆動電圧の上昇なしに、優秀な正孔阻止特性または電子調節特性を得ることができる。
【０１６８】
電子輸送層の厚みは、約１０ｎｍ以上約１００ｎｍ以下、例えば、約１５ｎｍ以上約５０ｎｍ以下でもよい。電子輸送層の厚みが前述のような範囲を満足する場合、実質的な駆動電圧の上昇なしに、満足すべき電子輸送特性を得ることができる。
【０１６９】
電子輸送領域（例えば、電子輸送領域における電子輸送層）は、前述のような物質以外に、金属含有物質をさらに含んでもよい。
【０１７０】
金属含有物質は、アルカリ金属錯体及びアルカリ土類金属錯体のうちから選択された少なくとも一つを含んでもよい。アルカリ金属錯体の金属イオンは、Ｌｉイオン、Ｎａイオン、Ｋイオン、Ｒｂイオン及びＣｓイオンのうちからも選択される。アルカリ土類金属錯体の金属イオンは、Ｂｅイオン、Ｍｇイオン、Ｃａイオン、Ｓｒイオン及びＢａイオンのうちから選択されてもよい。前述のアルカリ金属錯体及びアルカリ土類金属錯体の金属イオンに配位された配位子は、互いに独立して、ヒドロキシキノリン、ヒドロキシイソキノリン、ヒドロキシベンゾキノリン、ヒドロキシアクリジン、ヒドロキシフェナントリジン、ヒドロキシフェニルオキサゾール、ヒドロキシフェニルチアゾール、ヒドロキシジフェニルオキサジアゾール、ヒドロキシジフェニルチアジアゾール、ヒドロキシフェニルピリジン、ヒドロキシフェニルベンゾイミダゾール、ヒドロキシフェニルベンゾチアゾール、ビピリジン、フェナントロリン及びシクロペンタジエンのうちから選択されてもよいが、それらに限定されるものではない。
【０１７１】
例えば、金属含有物質は、Ｌｉ錯体を含んでもよい。Ｌｉ錯体は、例えば、下記化合物ＥＴ−Ｄ１（リチウムキノレート（ＬｉＱ））またはＥＴ−Ｄ２を含んでもよい。
【０１７２】
【化３３】
2020191443.tif 000070
【０１７３】
電子輸送領域は、第２電極１９０からの電子注入を容易にする電子注入層を含んでもよい。電子注入層は、第２電極１９０と直接（ｄｉｒｅｃｔｌｙ）接触することができる。
【０１７４】
電子注入層は、ｉ）単一物質からなる単一層からなる単層構造、ｉｉ）複数の互いに異なる物質からなる単一層からなる単層構造、あるいはｉｉｉ）複数の互いに異なる物質からなる複数の層を有する多層構造を有することができる。
【０１７５】
電子注入層は、アルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせを含んでもよい。
【０１７６】
アルカリ金属は、Ｌｉ、Ｎａ、Ｋ、Ｒｂ及びＣｓのうちから選択されてもよい。一実施形態によれば、アルカリ金属は、Ｌｉ、ＮａまたはＣｓでもよい。他の実施形態によれば、アルカリ金属は、ＬｉまたはＣｓでもよい。が、それらに限定されるものではない。
【０１７７】
アルカリ土類金属は、Ｍｇ、Ｃａ、Ｓｒ、及びＢａのうちから選択されてもよい。
【０１７８】
希土類金属は、Ｓｃ、Ｙ、Ｃｅ、Ｔｂ、Ｙｂ及びＧｄのうちから選択されてもよい。
【０１７９】
アルカリ金属化合物、アルカリ土類金属化合物及び希土類金属化合物は、アルカリ金属、アルカリ土類金属及び希土類金属の酸化物及びハロゲン化物（例えば、フッ化物、塩化物、臭化物、ヨウ化物など）のうちから選択されてもよい。
【０１８０】
アルカリ金属化合物は、Ｌｉ２Ｏ、Ｃｓ２Ｏ、Ｋ２Ｏのようなアルカリ金属酸化物、及びＬｉＦ、ＮａＦ、ＣｓＦ、ＫＦ、ＬｉＩ、ＮａＩ、ＣｓＩ、ＫＩのようなアルカリ金属ハロゲン化物のうちから選択されてもよい。一実施形態によれば、アルカリ金属化合物は、ＬｉＦ、Ｌｉ２Ｏ、ＮａＦ、ＬｉＩ、ＮａＩ、ＣｓＩ、ＫＩのうちから選択されてもよいが、それらに限定されるものではない。
【０１８１】
アルカリ土類金属化合物は、ＢａＯ、ＳｒＯ、ＣａＯ、ＢａｘＳｒ１−ｘＯ（０＜ｘ＜１）、ＢａｘＣａ１−ｘＯ（０＜ｘ＜１）のようなアルカリ土類金属化合物のうちから選択されてもよい。一実施形態によれば、アルカリ土類金属化合物は、ＢａＯ、ＳｒＯ及びＣａＯのうちから選択されてもよいが、それらに限定されるものではない。
【０１８２】
希土類金属化合物は、ＹｂＦ３、ＳｃＦ３、ＳｃＯ３、Ｙ２Ｏ３、Ｃｅ２Ｏ３、ＧｄＦ３及びＴｂＦ３のうちから選択されてもよい。一実施形態によれば、希土類金属化合物は、ＹｂＦ３、ＳｃＦ３、ＴｂＦ３、ＹｂＩ３、ＳｃＩ３、ＴｂＩ３のうちから選択されてもよいが、それらに限定されるものではない。
【０１８３】
前述のアルカリ金属錯体、アルカリ土類金属錯体及び希土類金属錯体は、前述のようなアルカリ金属、アルカリ土類金属及び希土類金属のイオンを含み、前述のアルカリ金属錯体、アルカリ土類金属錯体及び希土類金属錯体の金属イオンに配位されたリガンドは、互いに独立して、ヒドロキシキノリン、ヒドロキシイソキノリン、ヒドロキシベンゾキノリン、ヒドロキシアクリジン、ヒドロキシフェナントリジン、ヒドロキシフェニルオキサゾール、ヒドロキシフェニルチアゾール、ヒドロキシジフェニルオキサジアゾール、ヒドロキシジフェニルチアジアゾール、ヒドロキシフェニルピリジン、ヒドロキシフェニルベンゾイミダゾール、ヒドロキシフェニルベンゾチアゾール、ビピリジン、フェナントロリン及びシクロペンタジエンのうちから選択されてもよいが、それらに限定されるものではない。
【０１８４】
電子注入層は、前述のようなアルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせだけからなるか、あるいは有機物をさらに含んでもよい。電子注入層が有機物をさらに含む場合、前述のアルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせは、有機物からなるマトリックスに均一にも不均一にも分散されている。
【０１８５】
電子注入層の厚みは、約０．１ｎｍ以上約１０ｎｍ以下、約０．３ｎｍ以上約９ｎｍ以下でもよい。電子注入層の厚みが前述のような範囲を満足する場合、実質的な駆動電圧の上昇なしに、満足すべき電子注入特性を得ることができる。
【０１８６】
［第２電極１９０］
前述のような有機層１５０上部には、第２電極１９０が配置されている。第２電極１９０は、電子注入電極であるカソードでもよい。が、このとき、第２電極１９０用物質としては、低い仕事関数を有する金属、合金、電気伝導性化合物、及びそれらの組み合わせを使用することができる。
【０１８７】
第２電極１９０は、リチウム（Ｌｉ）、銀（Ａｇ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、ＩＴＯ及びＩＺＯのうちから選択された少なくとも一つを含んでもよいが、それらに限定されるものではない。第２電極１９０は、透過型電極、半透過型電極または反射型電極でもよい。
【０１８８】
第２電極１９０は、単一層である単層構造、または複数の層を有する多層構造を有することができる。
【０１８９】
［図２〜図４についての説明］
なお、図２の有機発光素子２０は、第１キャッピング層２１０、第１電極１１０、有機層１５０及び第２電極１９０が順に積層された構造を有する。図３の有機発光素子３０は、第１電極１１０、有機層１５０、第２電極１９０及び第２キャッピング層２２０が順に積層された構造を有する。図４の有機発光素子４０は、第１キャッピング層２１０、第１電極１１０、有機層１５０、第２電極１９０及び第２キャッピング層２２０が順に積層された構造を有する。
【０１９０】
図２〜図４において、第１電極１１０、有機層１５０及び第２電極１９０についての説明は、図１についての説明を参照する。
【０１９１】
有機発光素子２０，４０の有機層１５０における発光層で生成された光は、半透過型電極または透過型電極である第１電極１１０及び第１キャッピング層２１０を経て、外部で取り出される。有機発光素子３０，４０の有機層１５０における発光層で生成された光は、半透過型電極または透過型電極である第２電極１９０及び第２キャッピング層２２０を経て、外部で取り出される。
【０１９２】
第１キャッピング層２１０及び第２キャッピング層２２０は、補強干渉の原理により、外部発光効率を向上させる役割を行うことができる。
【０１９３】
前述の第１キャッピング層２１０及び第２キャッピング層２２０は、互いに独立して、有機物からなる有機キャッピング層、無機物からなる無機キャッピング層、または有機物及び無機物を含む複合キャッピング層でもよい。
【０１９４】
第１キャッピング層２１０及び第２キャッピング層２２０のうち少なくとも１層は、互いに独立して、炭素環化合物、ヘテロ環化合物、アミン系化合物、ポリフィン誘導体（ｐｏｒｐｈｉｎｅ  ｄｅｒｉｖａｔｉｖｅｓ）、フタロシアジン誘導体（ｐｈｔｈａｌｏｃｙａｎｉｎｅ  ｄｅｒｉｖａｔｉｖｅｓ）、ナフタロシアジン誘導体（ｎａｐｈｔｈａｌｏｃｙａｎｉｎｅ  ｄｅｒｉｖａｔｉｖｅｓ）、アルカリ金属錯体及びアルカリ土類金属錯体のうちから選択された少なくとも１つの物質を含んでもよい。前述の炭素環化合物、ヘテロ環化合物及びアミン系化合物は、選択的に、Ｏ、Ｎ、Ｓ、Ｓｅ、Ｓｉ、Ｆ、Ｃｌ、Ｂｒ及びＩのうちから選択された少なくとも１つの元素を含む置換基でも置換される。一具現例によれば、第１キャッピング層２１０及び第２キャッピング層２２０のうち少なくとも１層は、互いに独立して、アミン系化合物を含んでもよい。
【０１９５】
他の実現例によれば、第１キャッピング層２１０及び第２キャッピング層２２０のうち少なくとも１層は、互いに独立して、化学式２０１で表される化合物、または化学式２０２で表される化合物を含んでもよい。
【０１９６】
さらに他の具現例によれば、第１キャッピング層２１０及び第２キャッピング層２２０のうち少なくとも１層は、互いに独立して、化合物ＨＴ２８〜ＨＴ３３、及び下記化合物ＣＰ１〜ＣＰ５のうちから選択された化合物を含んでもよいが、それらに限定されるものではない。
【０１９７】
【化３４】
2020191443.tif 000071
【０１９８】
以上、有機発光素子について、図１〜４を参照して説明したが、それらに限定されるものではない。
【０１９９】
正孔輸送領域に含まれた各層、発光層、及び電子輸送領域に含まれた各層は、真空蒸着法、スピンコーティング法、キャスト法、ＬＢ（Ｌａｎｇｍｕｉｒ−Ｂｌｏｄｇｅｔｔ）法、インクジェットプリンティング法、レーザプリンティング法、レーザ熱転写法（ＬＩＴＩ：ｌａｓｅｒ  ｉｎｄｕｃｅｄ  ｔｈｅｒｍａｌ  ｉｍａｇｉｎｇ）法のような多様な方法を利用し、所定領域にも形成される。
【０２００】
真空蒸着法により、正孔輸送領域に含まれた各層、発光層、及び電子輸送領域に含まれた各層をそれぞれ形成する場合、該蒸着条件は、例えば、約１００℃以上約５００℃以下の蒸着温度、約１０−８ないし約１０−３ｔｏｒｒの真空度、及び約０．００１ｎｍ／ｓｅｃ以上約１０ｎｍ／ｓｅｃ以下の蒸着速度の範囲内で、形成する層に含まれる材料、及び形成する層の構造を考慮して選択されてもよい。
【０２０１】
スピンコーティング法により、正孔輸送領域に含まれた各層、発光層、及び電子輸送領域に含まれた各層をそれぞれ形成する場合、該コーティング条件は、例えば、約２，０００ｒｐｍ以上約５，０００ｒｐｍ以下のコーティング速度、及び約８０℃以上２００℃以下の熱処理温度の範囲内で、形成する層に含まれる材料、及び形成する層の構造を考慮して選択されてもよい。
【０２０２】
［装置］
有機発光素子は、各種装置にも含まれる。
【０２０３】
具体的には、装置は、ソース電極、ドレイン電極及び活性層を含む薄膜トランジスタ、並びに前述のような有機発光素子を含んでもよい。有機発光素子の第１電極と、薄膜トランジスタのソース電極及びドレイン電極のうち一つとが互いに電気的に連結される。
【０２０４】
薄膜トランジスタは、ゲート電極、ゲート絶縁膜などをさらに含んでもよい。
【０２０５】
活性層は、結晶質シリコン、非晶質シリコン、有機半導体、酸化物半導体などを含んでもよいが、それらに限定されるものではない。
【０２０６】
装置は、有機発光素子を密封する密封部をさらに含んでもよい。密封部は、有機発光素子からの画像を実現させ、該有機発光素子において、外気及び水分の浸透を遮断する。密封部は、透明なガラスまたはプラスチック基板を含む密封基板でもよい。密封部は、複数の有機層、及び／または複数の無機層を含む薄膜封止層でもよい。密封部が薄膜封止層であるならば、装置全体がフレキシブルでもよい。
【０２０７】
例えば、装置は、発光装置、認証装置または電子装置でもよい。
【０２０８】
発光装置は、各種ディスプレイ、光源などとしても使用される。
【０２０９】
認証装置は、例えば、生体（例えば、指先、瞳など）の生体情報を利用し、個人を認証する生体認証装置でもよい。認証装置は、前述のような有機発光素子以外に、生体情報収集手段をさらに含んでもよい。
【０２１０】
電子装置は、パソコン（例えば、モバイル型パソコン）、携帯電話、デジタル写真機、電子手帳、電子辞典、電子ゲーム機、医療機器（例えば、電子体温計、血圧計、血糖計、脈拍計測装置、脈波計測装置、心電表装置、超音波診断装置、内視鏡用表装置）、魚群探知機、各種測定機器、計器類（例えば、車両、航空機、船舶の計器類）、プロジェクタなどにも応用されるが、それらに限定されるものではない。
【０２１１】
［置換基の一般的な定義］
本明細書において、Ｃ１−Ｃ１０アルキル基は、炭素数１〜１０の線状または分枝状の脂肪族炭化水素一価）基を意味し、具体的な例には、メチル基、エチル基、プロピル基、イソブチル基、ｓｅｃ−ブチル基、ｔｅｒｔ−ブチル基、ペンチル基、ｉｓｏ−アミル基、ヘキシル基などが含まれる。
【０２１２】
本明細書において、Ｃ２−Ｃ１０アルケニル基は、Ｃ２−Ｃ１０アルキル基の中間または末端に、１以上の炭素二重結合を含む炭化水素基を意味し、その具体的な例には、エテニル基、プロぺニル基、ブテニル基などが含まれる。
【０２１３】
本明細書において、Ｃ２−Ｃ１０アルキニル基は、Ｃ２−Ｃ１０アルキル基の中間または末端に、１以上の炭素三重結合を含む炭化水素基を意味し、その具体的な例には、エチニル基、プロピニル基などが含まれる。
【０２１４】
本明細書において、Ｃ１−Ｃ１０アルコキシ基は、−ＯＡ１０１（ここで、Ａ１０１は、Ｃ１−Ｃ１０アルキル基である）の化学式を有する一価基を意味し、その具体的な例には、メトキシ基、エトキシ基、イソプロピルオキシ基などが含まれる。
【０２１５】
本明細書において、Ｃ３−Ｃ１０シクロアルキル基は、Ｃ３−Ｃ１０一価飽和炭化水素単環基を意味し、その具体例には、シクロプロピル基、シクロブチル基、シクロペンチル基、シクロヘキシル基、シクロヘプチル基などが含まれる。本明細書において、Ｃ３−Ｃ１０シクロアルキレニル基は、Ｃ３−Ｃ１０シクロアルキル基と同一構造を有する二価基を意味する。
【０２１６】
本明細書において、環形成原子数１−１０のヘテロシクロアルキル基は、Ｎ、Ｏ、Ｓｉ、Ｐ及びＳのうちから選択された少なくとも１つのヘテロ原子を環形成原子として含む環形成原子数１〜１０の一価単環基を意味し、その具体例には、１，２，３，４−オキサトリアゾリジニル基、テトラヒドロフラニル基、テトラヒドロチオフェニル基などが含まれる。
【０２１７】
本明細書において、Ｃ３−Ｃ１５シクロアルケニル基は、Ｃ３−Ｃ１５一価単環基であり、環内に少なくとも１つの二重結合を有するが、芳香族性（ａｒｏｍａｔｉｃｉｔｙ）を有さない基を意味し、その具体例には、シクロペンテニル基、シクロヘキセニル基、シクロヘプテニル基などが含まれる。
【０２１８】
本明細書において、環形成原子数１−１５のヘテロシクロアルケニル基は、Ｎ、Ｏ、Ｓｉ、Ｐ及びＳのうちから選択された少なくとも１つのヘテロ原子を環形成原子として含む環形成原子数１〜１５の一価単環基であり、環内に少なくとも１つの二重結合を有する。環形成原子数１−１５のヘテロシクロアルケニル基の具体例には、４，５−ジヒドロ−１，２，３，４−オキサトリアゾリル基、２，３−ジヒドロフラニル基、２，３−ジヒドロチオフェニル基などが含まれる。
【０２１９】
本明細書において、Ｃ６−Ｃ１５アリール基は、Ｃ６−Ｃ１５炭素環芳香族系を有する一価基を意味する。Ｃ６−Ｃ１５アリール基の具体例には、フェニル基、ナフチル基、アントラセニル基、フェナントレニル基、ピレニル基、クリセニル基などが含まれる。Ｃ６−Ｃ１５アリール基が２以上の環を含む場合、２以上の環は、互いに縮合されもする。
【０２２０】
本明細書において、Ｃ６−Ｃ１５アリールオキシ基は、−ＯＡ１０２（ここで、Ａ１０２は、Ｃ６−Ｃ１５アリール基である）を示し、Ｃ６−Ｃ１５アリールチオ基は、−ＳＡ１０３（ここで、Ａ１０３は、Ｃ６−Ｃ１５アリール基である）を示す。
【０２２１】
本明細書において、環形成原子数１−１５のヘテロアリール基は、Ｎ、Ｏ、Ｓｉ、Ｐ及びＳのうちから選択された少なくとも１つのヘテロ原子を環形成原子として含み、環形成原子数１〜１５個のヘテロ環芳香族系を有する一価基を意味する。環形成原子数１−１５のヘテロアリール基の具体例には、ピリジニル基、ピリミジニル基、ピラジニル基、ピリダジニル基、トリアジニル基、キノリニル基、イソキノリニル基などが含まれる。環形成原子数１−１５のヘテロアリール基が２以上の環を含む場合、２以上の環は、互いに縮合されもする。
【０２２２】
本明細書において、環形成原子数１−１５のヘテロアリールオキシ基は、−ＯＡ１０４（ここで、Ａ１０４は、環形成原子数１−１５のヘテロアリール基である）を示し、環形成原子数１−１５のヘテロアリールチオ基は、−ＳＡ１０５（ここで、Ａ１０５は、環形成原子数１−１５のヘテロアリール基である）を示す。
【０２２３】
本明細書において、環形成原子数１−１５の一価非芳香族縮合多環基は、２以上の環が互いに縮合されており、環形成原子として炭素のみを含み、分子全体が非芳香族性（ｎｏｎ−ａｒｏｍａｔｉｃｉｔｙ）を有する一価基（例えば、炭素数１〜１５である）を意味する。環形成原子数１−１５の一価非芳香族縮合多環基の具体例には、フルオレニル基などが含まれる。
【０２２４】
本明細書において、環形成原子数１−１５の一価非芳香族ヘテロ縮合多環基は、２以上の環が互いに縮合されている。環形成原子として炭素以外に、Ｎ、Ｏ、Ｓｉ、Ｐ及びＳのうちから選択された少なくとも１つのヘテロ原子を含み、分子全体が非芳香族性を有する一価基（例えば、環形成原子数１〜１５を有する）を意味する。環形成原子数１−１５の一価非芳香族ヘテロ縮合多環基の具体例には、カルバゾリル基などが含まれる。
【０２２５】
本明細書において、Ｃ５−Ｃ１５炭素環基とは、環形成原子として炭素のみを含む炭素数５〜１５の単環基または多環基を意味する。Ｃ５−Ｃ１５炭素環基は、芳香族炭素環基または非芳香族炭素環基でもよい。Ｃ５−Ｃ１５炭素環基は、ベンゼンのような環、フェニル基のような一価基、またはフェニレニル基のような二価基でもよい。または、Ｃ５−Ｃ１５炭素環基に連結された置換基の個数により、Ｃ５−Ｃ１５炭素環基は、三価基または四価基でもよい。というように、多様な変形が可能である。
【０２２６】
本明細書において、環形成原子数１−１５のヘテロ環基とは、Ｃ５−Ｃ１５炭素環基と同一構造を有するが、環形成原子として、炭素以外に、Ｎ、Ｏ、Ｓｉ、Ｐ及びＳのうちから選択された少なくとも１つのヘテロ原子を含む基を意味する。
【０２２７】
本明細書において、「Ｐｈ」は、フェニル基を意味し、「Ｍｅ」は、メチル基を意味し、「Ｅｔ」は、エチル基を意味し、「ｔｅｒ−Ｂｕ」または「Ｂｕｔ」は、ｔｅｒｔ−ブチル基を意味し、「ＯＭｅ」は、メトキシ基を意味する。
【０２２８】
本明細書において、「ビフェニリル基」は、「フェニル基で置換されビフェニリル基」を意味する。「ビフェニリル基」は、置換基が「Ｃ６−Ｃ６０アリール基」である「置換されビフェニリル基」に属する。
【０２２９】
本明細書において、「ビフェニリル基」は、「ビフェニリル基で置換されビフェニリル基」を意味する。「ビフェニリル基」は、置換基が「Ｃ６−Ｃ６０アリール基で置換されたＣ６−Ｃ６０アリール基」である「置換されビフェニリル基」に属する。
【０２３０】
本明細書において、＊及び＊’は、他の定義がない限り、当該化学式において、隣接原子との結合サイトを意味する。
【０２３１】
以下において、実施例を挙げ、本発明の一具現例による化合物及び有機発光素子についてさらに具体的に説明する。
【実施例】
【０２３２】
実施例１
アノードとして、ＩＴＯ／Ａｇ／ＩＴＯが蒸着された基板を、５０ｍｍ×５０ｍｍ×０．５ｍｍサイズに切り、イソプロピルアルコールと純水とを利用し、各５分間超音波洗浄した後、３０分間紫外線を照射してオゾンに露出させて洗浄し、真空蒸着装置にＩＴＯ基板を設けた。
【０２３３】
ＩＴＯ基板上部に、ｍ−ＭＴＤＡＴＡを蒸着し、４ｎｍ厚の正孔注入層を形成した後、正孔注入層上部にＮＰＢを真空蒸着し、１ｎｍ厚の正孔輸送層を形成し、正孔輸送層上部に、化合物ＨＴ−０９，ＥＴ０８及びＴＢＤ−０１を、７０：３０：２５の重量比で共蒸着し、３０ｎｍ厚の発光層を形成した。発光層上部に、化合物ＥＴ−１でもって、３０ｎｍ厚の電子輸送層を形成した。電子輸送層上部にＡｌを蒸着し、１２０ｎｍ厚のカソードを形成することにより、有機発光素子を作製した。
【０２３４】
実施例２〜５、及び比較例１〜５
【０２３５】
発光層を、下記表１に記載されているような化合物で作製したという点を除いては、実施例１５と同一方法で有機発光素子を作製した。
【０２３６】
評価例
前述の実施例１〜５、及び比較例１〜５で作製された有機発光素子の発光光、電流効率及び寿命を、電流密度１０ｍＡ／ｃｍ２で、Ｋｅｔｈｌｅｙ  ＳＭＵ  ２３６及び輝度計ＰＲ６５０を利用して測定し、その結果を表１に示した。寿命は、輝度が初期輝度の８０％になるまでにかかった時間を測定した値である。また、実施例１〜５、及び比較例１〜５で作製された有機発光素子の輝度による効率変化特性（ロールオフ特性）を測定し、図５及び図６に示した。
【表１】
2020191443.tif 000072
【化３５】
2020191443.tif 000073
2020191443.tif 000074
2020191443.tif 000075
【化３６】
2020191443.tif 000076
2020191443.tif 000077
【０２３７】
表１から、実施例１〜５の有機発光素子の電流効率及び寿命は、比較例１〜５の有機発光素子の電流効率及び寿命に比べ、優秀であるということを確認することができる。
【０２３８】
また、図５及び図６から、実施例１〜５の有機発光素子は、比較例１ないし５の有機発光素子に比べ、高輝度において、効率低下現象が低い（ロールオフ特性に優れる）ということを確認することができる。
【０２３９】
以上のように、本発明は、図面に図示された実施形態を参照して説明されたが、それらは、例示的なことに過ぎず、当該技術分野において当業者であるならば、それらから多様な変形、及び均等な他の実施形態が可能であるという点を理解するであろう。従って、本発明の真の技術的保護範囲は、特許請求の範囲の技術的思想によって決められるものである。
【符号の説明】
【０２４０】
１０，２０，３０，４０    有機発光素子
１１０    第１電極
１５０    有機層
１９０    第２電極
２１０    第１キャッピング層
２２０    第２キャッピング層
【図１】
2020191443.tif 000105
【図２】
2020191443.tif 000106
【図３】
2020191443.tif 000107
【図４】
2020191443.tif 000108
【図５】
2020191443.tif 000109
【図６】
2020191443.tif 000110